(57)【要約】【課題】熱交換装置の内部に発生した復水を速やかに外部へ排出することができる蒸気熱交換装置を得ること。【解決手段】多段プレス１の入口ヘッダ７へ蒸気供給管２を接続する。入口ヘッダ７の上部に入口側圧力センサ３を取り付ける。出口ヘッダ１０の上部に出口側圧力センサ４を取り付け、下方に自動調節弁５を接続する。自動調節弁５を気液分離器１２と連通する。気液分離器１２の下方にエゼクタ１８と循環ポンプ１９を接続する。余剰復水排出管２１に熱磁気エンジン２５を接続する。各圧力センサ３，４からの検出値に応じて自動調節弁５の開閉を制御することによって、所定の差圧が維持されて、多段プレス１内で発生した復水は速やかに排出される。【選択図】　　　　　　図１
2004137900.tif 000002
【特許請求の範囲】
【請求項１】
加熱源として蒸気を供給して、熱交換により蒸気が凝縮した復水を熱交換装置の外部へ排出するものにおいて、熱交換装置の入口側の流体圧力を検出する入口側圧力センサと出口側の流体圧力を検出する出口側圧力センサを配置して、当該出口側圧力センサの下流側に自動調節弁を取り付けると共に、上記両センサでの検出圧力値を入力して熱交換装置の入口側と出口側の圧力差を所定値に維持するように上記自動調節弁を開閉制御する制御部を設け、上記自動調節弁の更に下流側に温度差と磁力によって回転力を発生する熱磁気エンジンを配置して、当該熱磁気エンジンの回転力で電力を発生する発電機を接続したことを特徴とする蒸気熱交換装置。
【発明の詳細な説明】
【０００１】
【発明の属する技術分野】
この発明は、熱交換装置の内部に発生した復水を、内部に滞留することなく速やかに外部へ排出することのできる蒸気熱交換装置に関する。
【０００２】
【従来の技術】
【特許文献１】特公昭５１−３１９９８号公報
これは、熱交換装置としての空気加熱装置１に、負圧時に開き正圧時に閉じる逆止弁と、低温時に開き高温時に閉じる熱動弁との組合せ弁７を設けることにより、空気加熱装置１の内部に発生した凝縮水としての復水を外部へ排出することができるものである。
【特許文献２】特開平９−２６８９６８号公報
これは、温度差と磁力によって回転力を発生させる熱磁気エンジンであり、感温磁性材料製の円筒状ロータと、この円筒状ロータの外周面の円周方向に磁極を位置させて配設した磁石と、円筒状ロータの一部を加熱冷却する加熱冷却領域とから成るものである。
【０００３】
【発明が解決しようとする課題】
上記特許文献１の従来の熱交換装置では、装置の内部が真空になると逆止弁から外気を注入させて、スチームトラップに働く差圧が負圧になることを防止することによって、スチームトラップから復水が排出できなくなることを防ぐものであるが、このように、外気を注入したとしても、スチームトラップの入口側に作用するのは大気圧であり、スチームトラップの入口側と出口側の間に十分な差圧を確保することができずに、発生した復水を速やかに外部へ排出することができない問題があった。
【０００４】
この実情に鑑み、本発明の課題は、熱交換装置の内部に発生した復水を速やかに外部へ排出することのできる蒸気熱交換装置を得ることである。
【０００５】
【課題を解決するための手段】
上記の課題を解決するために講じた本発明の手段は、加熱源として蒸気を供給して、熱交換により蒸気が凝縮した復水を熱交換装置の外部へ排出するものにおいて、熱交換装置の入口側の流体圧力を検出する入口側圧力センサと出口側の流体圧力を検出する出口側圧力センサを配置して、当該出口側圧力センサの下流側に自動調節弁を取り付けると共に、上記両センサでの検出圧力値を入力して熱交換装置の入口側と出口側の圧力差を所定値に維持するように上記自動調節弁を開閉制御する制御部を設け、上記自動調節弁の更に下流側に温度差と磁力によって回転力を発生する熱磁気エンジンを配置して、当該熱磁気エンジンの回転力で電力を発生する発電機を接続したものである。
【０００６】
【発明の実施の形態】
制御部により熱交換装置の入口側と出口側の圧力差を所定値に維持するように自動調節弁を開閉制御することによって、熱交換装置の入口側と出口側には所定の圧力差が維持され、熱交換装置の内部で発生した復水はこの所定の圧力差に基づいて外部へ速やかに排出される。
【０００７】
自動調節弁の下流側に熱磁気エンジンと発電機を設けたことにより、熱交換装置から排出される復水の熱を利用して熱磁気エンジンを回転させ、発電機で電力を発生することができる。
【０００８】
【実施例】
図１において、熱交換装置としての多段プレス１と、多段プレス１へ蒸気を供給する蒸気供給管２と、入口側圧力センサ３並びに出口側圧力センサ４と、出口側圧力センサ４の下流側に取り付けた自動調節弁５、及び、熱磁気エンジン２５とで蒸気熱交換装置を構成する。
【０００９】
蒸気供給管２には、供給する蒸気圧力を任意に設定することのできる蒸気圧力調節弁６を取り付けて、多段プレス１の入口ヘッダ７と接続する。入口ヘッダ７と複数のプレス用熱板８をそれぞれ略Ｕ字状のフレキシブルチューブ９を介して接続する。同様に、出口ヘッダ１０とプレス用熱板８をフレキシブルチューブ１１で接続する。蒸気供給管２から供給される蒸気は、入口ヘッダ７とフレキシブルチューブ９から熱板８内へ至り、複数の熱板８の間に位置する図示しない被熱交換物を加熱することによって凝縮して復水となり、フレキシブルチューブ１１と出口ヘッダ１０を通して外部へ排出されるものである。
【００１０】
入口ヘッダ７の上部に入口側圧力センサ３を取り付け、出口ヘッダ１０の上部に出口側圧力センサ４を取り付ける。出口ヘッダ１０の下部に自動調節弁５を接続する。自動調節弁５の下流側には、蒸気と復水を気液分離する気液分離器１２を接続する。気液分離器１２の上方には、自動調節弁１３を介在させて低圧蒸気管１４を接続する。
【００１１】
低圧蒸気管１４は、気液分離器１２で分離された蒸気を、図示しない別途の蒸気使用箇所へ供給するものであり、途中に管内の蒸気圧力を検出するための圧力センサ１５を取り付けると共に、蒸気供給管２を分岐した分岐管１６に圧力調節弁１７を介在させて接続する。低圧蒸気管１４へ気液分離器１２から供給される蒸気量が少ない場合に、分岐管１６から所定量の蒸気を低圧蒸気管１４へ補給することができる。
【００１２】
気液分離器１２の下部には、液体エゼクタ１８を接続して、循環ポンプ１９と循環路２０により連通する。気液分離器１２で分離された復水は、エゼクタ１８に吸引されて循環路２０内を循環する。循環路２０の一部を分岐して余剰復水排出管２１を接続する。この余剰復水排出管２１には自動弁２２を取り付ける。
【００１３】
図示しない制御部と、各センサ３，４，１５、及び、それぞれの弁類５，６，１３，１７，２２，２３とを電気的に接続して、制御部からの信号によってそれぞれの弁類の開閉あるいは弁開度をコントロールする。
【００１４】
熱磁気エンジン２５は、余剰復水排出管２１から流入する復水の高温と、大気中の常温との温度差を利用して回転力を発生させるもので、発生した回転力は発電機２６へ伝達されて電気を生じる。なお、熱磁気エンジン２５で熱を奪われた復水は排出管２７から外部へ排出される。発電機２６で発生した電気は、多段プレス１の駆動用やポンプ１９やそれぞれの弁類、あるいは、各センサ３，４，１５や制御部等の電源として使用される。
【００１５】
蒸気供給管２から多段プレス１へ供給された蒸気は、複数の熱板８内で熱交換されて復水となり、出口ヘッダ１０と自動調節弁５を通って気液分離器１２へ至る。この場合、多段プレス１の入口側と出口側、すなわち、入口ヘッダ７側と出口ヘッダ１０側の圧力差を、所定値例えば０．０１ＭＰａから０．０３ＭＰａ程度に維持するように、制御部で自動調節弁５の開閉あるいは弁開度を制御することによって、多段プレス１で発生した復水は滞留することなく、気液分離器１２へ速やかに流下する。
【００１６】
本実施例のように、熱板８と出口ヘッダ１０とを略Ｕ字状のフレキシブルチューブ１１で接続した場合、フレキシブルチューブ１１の下流側が立ち上がり通路となり、その水頭高さを破るだけの差圧がないと復水を排出することができないが、上記のように所定の圧力差を適宜設定することによって、立ち上がり部があっても速やかに復水を外部へ排出することができる。
【００１７】
気液分離器１２で液体としての復水と、気体としての再蒸発蒸気とが分離され、蒸気は低圧蒸気管１４から所定の低圧蒸気の使用箇所へ供給され、一方、復水はエゼクタ１８に吸引されて余剰復水排出管２１から熱磁気エンジン２５へ供給される。
【００１８】
【発明の効果】
上記のように本発明によれば、熱交換装置の入口側と出口側の圧力差を所定値に維持することによって、熱交換装置の内部に発生した復水を速やかに外部へ排出することができる。
【００１９】
また本発明によれば、熱交換装置の出口側に熱磁気エンジンと発電機を取り付けたことにより、熱交換装置から排出される復水の熱を利用して発電することができ、省エネルギとすることができる。
【図面の簡単な説明】
【図１】本発明の蒸気熱交換装置の実施例を示す構成図。
【符号の説明】
１　　多段プレス
２　　蒸気供給管
３　　入口側圧力センサ
４　出口側圧力センサ
５　自動調節弁
７　入口ヘッダ
８　熱板
９，１１　フレキシブルチューブ
１２　気液分離器
１４　低圧蒸気管
１８　液体エゼクタ
２１　余剰復水排出管
２５　熱磁気エンジン
２６　発電機
【図１】
2004137900.tif 000003